(57)【要約】【課題】  円筒状の同軸管フィーダーに固定される方向性結合器において、電気的特性の調整作業における操作性・作業性が良好な方向性結合器及び固定構造を提供する。【解決手段】  方向性結合器１は、円柱形状の外周面を有する内導体３０と、同軸管フィーダーの外導体１０に固定された内導体固定部２０と、内導体３０が挿入された内導体固定部２０の外周を締め付けて内導体３０を固定するバンド４０と、円筒形状を有し、内導体３０が挿入されて内導体固定部２０に挿入され、フランジ構造及びネジ構造を有するスペーサー５０と、を有している。【選択図】      図１
2018137596.tif 000002
【特許請求の範囲】
【請求項１】
円柱形状の外周面を有する内導体と、
同軸管フィーダーの外導体に固定された内導体固定部と、
前記内導体が挿入された前記内導体固定部の外周を締め付けて前記内導体を固定するバンドと、
円筒形状を有し、前記内導体が挿入されて前記内導体固定部に挿入され、フランジ構造及びネジ構造を有するスペーサーと、
を有する方向性結合器。
【請求項２】
前記ネジ構造は、
前記スペーサーの前記円筒形状の外周面に設けられた雄ネジ部と、
前記内導体固定部に設けられた、前記雄ネジ部に係合する雌ネジ部と、
からなり
前記フランジ構造は、
前記内導体の前記円柱形状の外周面から前記円柱形状の中心軸に垂直な方向に突出する第１のフランジ部と、
前記スペーサーに設けられた、前記第１のフランジ部を支持する第１の支持部と、
からなる、
請求項１に記載の方向性結合器。
【請求項３】
前記ネジ構造は、
前記内導体の前記円柱形状の外周面に設けられた雄ネジ部と、
前記スペーサーに設けられた、前記雄ネジ部に係合する雌ネジ部と、
からなり、
前記フランジ構造は、
前記スペーサーの前記円筒形状の外周面から前記円筒形状の中心軸に垂直な方向に突出する第２のフランジ部と、
前記内導体固定部は、前記第２のフランジ部を支持する第２の支持部と、
からなる、
請求項１に記載の方向性結合器。
【請求項４】
前記スペーサーは、前記円筒形状の中心軸方向のスリットを有する、請求項１から３のいずれかに記載の方向性結合器。
【請求項５】
前記スペーサーは、前記円筒形状の、お互いに対向する位置に２つの前記スリットを備える、請求項４に記載の方向性結合器。
【請求項６】
同軸管フィーダーの外導体に固定された内導体固定部と、
方向性結合器の円柱形状の外周面を有する内導体が挿入された前記内導体固定部の外周を締め付けて前記内導体を固定するバンドと、
円筒形状を有し、前記内導体が挿入されて前記内導体固定部に挿入され、フランジ構造及びネジ構造を有するスペーサーと、
を有する固定構造。
【発明の詳細な説明】
【技術分野】
【０００１】
本発明は、方向性結合器及び固定構造に関し、特に円筒状の同軸管フィーダーに固定される方向性結合器及び固定構造に関する。
【背景技術】
【０００２】
放送局に設置される送信機等では、主線路部として円筒状の同軸管フィーダーが用いられ、この同軸管フィーダーの外導体に固定するタイプの方向性結合器が使用される。この種の方向性結合器が、例えば特許文献１に開示されている。
【０００３】
特許文献１に開示されている方向性結合器は、フィーダーの外導体に載置されるフィーダーマウント、フィーダーマウントに載置される内導体マウント、内導体マウントに載置された内導体を備える。フィーダーマウントは、フィーダーの外導体に固定される固定部と、内導体マウントが載置される接合部とを備える。接合部は円筒状に形成され、一主面が固定部に固定され、他主面には接合部の同一直径上に対向して配置された一対のスタッドが設けられている。内導体マウントは、結合部に載置される回転部と、内導体が装着される装着部とを備える。回転部は、円筒状に形成され、一主面にスタッドと移動自在に嵌合した一対の貫通穴を備え、かつ、装着部が配置されている。装着部は、回転部の外径よりやや小さな外径の円筒状に形成され、長さ方向に二つのスリット及びすり割りが形成されている。内導体は、装着部の内径よりもやや小さな径の円柱状に形成され、内部に結合ループ、側面にスリットと摺動自在に嵌合可能に形成された二つのガイドを備える。装着部と内導体とは、装着部のすり割りが形成された側面をバンドで締め付けられて固定されている。内導体の位置を調整する場合は、使用者は、バンドをゆるめ、スリットとガイドとが嵌合した状態で、内導体を移動し、所望の位置で再びバンドを締める。内導体の方向を調整する場合は、使用者は、ナットをゆるめ、スタッドが貫通穴を貫通した状態で、内導体マウントを回転し、所望の位置で、再びナットを締める。
【先行技術文献】
【特許文献】
【０００４】
【特許文献１】特開２０００−４９５１０号公報
【発明の概要】
【発明が解決しようとする課題】
【０００５】
上述の特許文献１の構造では、内導体の鉛直方向の位置調整を行う際には、バンドを緩める程度により内導体の鉛直方向の移動の容易性が異なり、微調整を行うことが困難である。特許文献１の構成では方向性結合器の電気的特性の調整作業時における操作性・作業性が良好とはいえない。
【０００６】
本発明は、上記の課題を解決するものであり、円筒状の同軸管フィーダーに固定される方向性結合器において、電気的特性の調整作業における操作性・作業性が良好な方向性結合器及び固定構造を提供することを主な目的とする。
【課題を解決するための手段】
【０００７】
本発明の１側面による方向性結合器は、円柱形状の外周面を有する内導体と、同軸管フィーダーの外導体に固定された内導体固定部と、前記内導体が挿入された前記内導体固定部の外周を締め付けて前記内導体を固定するバンドと、円筒形状を有し、前記内導体が挿入されて前記内導体固定部に挿入され、フランジ構造及びネジ構造を有するスペーサーと、を有する。
【０００８】
本発明の他の側面による固定構造は、同軸管フィーダーの外導体に固定された内導体固定部と、方向性結合器の円柱形状の外周面を有する内導体が挿入された前記内導体固定部の外周を締め付けて前記内導体を固定するバンドと、円筒形状を有し、前記内導体が挿入されて前記内導体固定部に挿入され、フランジ構造及びネジ構造を有するスペーサーと、を有している。
【発明の効果】
【０００９】
本発明によれば、円筒状の同軸管フィーダーに固定される方向性結合器の電気的特性の調整作業における操作性・作業性が良好となる。
【図面の簡単な説明】
【００１０】
【図１】図１は、第１の実施形態の構成を示す側面図である。
【図２】図２は、第２の実施形態の構成を示す側面図である。
【図３】図３は、第２の実施形態の構成を示す分解図である。
【図４】図４は、第２の実施形態のマウント部の構成を示す側面図である。
【図５】図５は、第２の実施形態のスペーサーの構成を示す側面図である。
【図６】図６は、第３の実施形態の構成を示す側面図である。
【図７】図７は、第３の実施形態の構成を示す分解図である。
【図８】図８は、第３の実施形態のマウント部の構成を示す側面図である。
【図９】図９は、第３の実施形態のスペーサーの構成を示す側面図である。
【発明を実施するための形態】
【００１１】
以下、図面を参照して本発明の第１の実施形態について説明する。図１は、第１の実施形態の構成を示す側面図である。図１に示すように、本実施形態の方向性結合器１は、円柱形状を有する内導体３０と、同軸管フィーダーの外導体１０に固定された内導体固定部２０とを備え、内導体３０が挿入された内導体固定部２０の外周をバンド４０が締め付けて内導体３０を固定する。また本実施形態の方向性結合器１は、円筒形状を有し、内導体３０が挿入されて内導体固定部２０に挿入されるスペーサー５０を備えている。またスペーサー５０は、内導体固定部２０に支持され内導体３０を支持するための構造として、フランジ構造及びネジ構造を有している。すなわち本実施形態の内導体３０の固定構造は、同軸管フィーダーの外導体１０に固定された内導体固定部２０と、方向性結合器１の円柱形状の内導体３０が挿入された内導体固定部２０の外周を締め付けて内導体３０を固定するバンド４０を備えている。また本実施形態の内導体３０の固定構造は、円筒形状を有し、内導体３０が挿入されて内導体固定部２０に挿入され、フランジ構造及びネジ構造を有するスペーサーを備えている。
【００１２】
内導体固定部２０は、例えば内導体固定部２０に結合された図示しない固定部を同軸管フィーダーの外導体１０に固定することで固定されている。
【００１３】
内導体３０は、内部に同軸管フィーダーを通過する無線信号から信号を取り出すための結合ループを備えている。また内導体３０は、円柱形状の上部に、取り出した信号を検出するための同軸コネクタを備えている。
【００１４】
バンド４０は、例えばステンレスにて形成されているステンレスバンドである。
【００１５】
上記のフランジ構造とは、円柱又は円筒形状の部品本体の外周面から円柱又は円筒形状の中心軸に垂直な方向に突出したフランジ部と、その円柱又は円筒形状の外径とほぼ同等もしくは大きい内径を有する内周面をもち、フランジ部をもつ部品の円柱又は円筒形状の中心軸に垂直な面でフランジ部を回転自在に支持する支持部からなる構造をいう。ネジ構造は円柱又は円筒形状の外周面に形成された雄ネジ部と、その雄ネジ部に係合する雌ネジ部からなる構造をいう。スペーサー５０は、フランジ部と支持部の一方と、雄ネジ部と雌ネジ部の一方を備えている。内導体３０及び内導体固定部２０は、フランジ構造の他方又はネジ構造の他方を備える。
【００１６】
次に本実施形態の方向性結合器１の挿入量及び角度の調整と同軸管フィーダーへの固定作業について説明する。まず、内導体３０が挿入されたスペーサー５０が内導体固定部２０に挿入され、作業者により挿入量の調整が行われる。具体的には内導体３０は、作業者のネジ構造の回転作業により内導体固定部２０に沿って図１の上下方向に移動し、挿入量の調整が行われる。
【００１７】
次に方向性結合器１の角度が調整される。具体的には作業者によるフランジ部の回転作業により内導体固定部２０への挿入量を一定に保った状態で、内導体３０の同軸管フィーダーとの角度が調整される。
【００１８】
最後に、バンド４０で、内導体固定部２０の外周が締め付けられ、内導体３０が、スペーサー５０とともに内導体固定部２０に固定される。
【００１９】
以上説明したように、本実施形態によれば、スペーサーが内導体固定部に支持され内導体を支持するための構造としてネジ構造を有することにより、挿入量の微調整を容易に行うことができ、方向性結合器の電気的特性の調整作業時における操作性・作業性が良好となる。またスペーサーがフランジ構造を有することにより、内導体の同軸管フィーダーとの角度調整時の回転操作においても、内導体の挿入量を一定とすることができる。またスペーサーがフランジ構造及びネジ構造を有するスペーサーを備えることにより、内導体の挿入量および同軸管フィーダーとの角度調整の２つの調整過程を独立して行うことが可能となる。これにより、方向性結合器の調整時の操作精度を向上させることができ、調整作業に要する作業時間を短縮することができる。
【００２０】
次に第２の実施形態について説明する。図２は本発明の第２の実施形態の構成を示す側面図である。また図３は本発明の第２の実施形態の構成を示す分解図である。本実施形態では、内導体３１が上記のフランジ構造のフランジ部（第１のフランジ部）を備え、スペーサー５１が上記のフランジ構造の支持部（第１の支持部）を備え、スペーサー５１が上記のネジ構造の雄ネジ部を備え、内導体固定部２１ｂが上記のネジ構造の雌ネジ部を備えた例である。
【００２１】
本実施形態の方向性結合器２は、図２に示すように、同軸管フィーダーの外導体１１に固定されるマウント部２１、マウント部２１を同軸管フィーダーの外導体１１に固定するバンド４１、マウント部２１と嵌合するスペーサー５１、スペーサー５１に挿入される内導体３１、及び内導体３１と内導体固定部２１ｂ並びにスペーサー５１を固定するためのバンド４２を備える。
【００２２】
内導体３１は、図２に示すように、外周面３１ａが円柱形状となっている。内導体３１の外周面３１ａの外径は、スペーサー５１の円筒形状の内周面５１ａの内径と同等もしくは、やや小さい。また内導体３１は上端部に内導体３１の円柱形状の外周面から円柱形状の中心軸に垂直な方向に突出したフランジ部３１ｂを有している。フランジ部３１ｂがスペーサー５１の上端に備えられた支持部５１ｂに、内導体３１の円柱形状の中心軸に垂直な面で回転自在に支持されることで、バンド４２を緩めたとき、内導体３１は、スペーサー５１内部で回転自在に支持されている。また内導体３１は、内部に同軸管フィーダーを通過する無線信号から信号を取り出すための結合ループを備えている。また内導体３１は、円柱形状の上部に、取り出した信号を検出するための同軸コネクタを備えている。
【００２３】
図４は、第２の実施形態のマウント部２１の側面図である。マウント部２１は、同軸管フィーダーの外導体１１に固定されるフィーダー固定部２１ａと、フィーダー固定部２１ａと接合され、内導体３１ならびにスペーサー５１を固定するための内導体固定部２１ｂを備える。マウント部２１のフィーダー固定部２１ａは、同軸管フィーダーの外導体１１の外周に沿って配置できるように形成された円筒形状の一部分であり、バンド４１により同軸管フィーダーの外導体１１に固定される。
【００２４】
内導体固定部２１ｂは、円筒状に形成されている。内導体固定部２１ｂの円筒状の部分の内面には、スペーサー５１が備える雄ネジ部５１ｃと係合するように雌ネジ部２１ｃが備えられている。内導体固定部２１ｂの雌ネジ部２１ｃ及びスペーサー５１の雄ネジ部５１ｃのネジ山のピッチは、調整精度に応じて設計される。要求精度が高くない場合はネジ山のピッチを広げることでスペーサー５１の回転に対する上下方向の移動量は大きくでき、高速に調整できる。要求精度が高い場合はネジ山のピッチを狭くすることでスペーサー５１の回転に対する上下方向の移動量は小さくでき、精密に調整できる。内導体固定部２１ｂの円筒状の部分には、図４に示すように、長さ方向にスリット２１ｄが形成されている。スリット２１ｄは、１つでもよいが、円筒状の部分の対面する位置にも形成され、内導体固定部２１ｂの円筒状の部分に二つのスリット２１ｄが形成されてもよい。
【００２５】
バンド４１は、例えばステンレスにて形成されているステンレスバンドである。同軸管フィーダーの外導体１１に接しているフィーダー固定部２１ａが、バンド４１により同軸管フィーダーの外導体１１と共に締め付けられて固定される。
【００２６】
図５は、第２の実施形態のスペーサーの構成を示す側面図である。スペーサー５１は、図５に示すように、円筒形状をしており、スペーサー５１の内周面５１ａは、挿入される内導体３１の外周面３１ａと同様、円筒形状となっている。スペーサー５１の円筒形状の内周面５１ａの内径は、内導体３１の外周面３１ａの外径と同等もしくは、やや大きい。またスペーサー５１は、上端部に内導体３１のフランジ部３１ｂと接し内導体３１を支持する支持部５１ｂが備えられている。またスペーサー５１は、挿入される内導体固定部２１ｂの内周の雌ネジ部２１ｃと係合するように、円筒状の部分の外面に雄ネジ部５１ｃを備えている。またスペーサー５１の円筒部分には、図５に示すように、円筒の長さ方向にスリット５１ｄが形成されている。このスリット５１ｄは、円筒の対面する位置に例えば二つ形成されている。
【００２７】
バンド４２は、バンド４１とほぼ同一の構成を有する。内導体３１が挿入されたスペーサー５１が内導体固定部２１ｂに挿入された状態で、バンド４２が内導体固定部２１ｂの外周を締め付けることで、内導体固定部２１ｂにスペーサー５１及び内導体３１が固定される。スペーサー５１が上記のネジ構造の雄ネジ部を備え、内導体固定部２１ｂが上記のネジ構造の雌ネジ部を備えた例である。
【００２８】
次に本実施形態の方向性結合器２の挿入量及び角度の調整と同軸管フィーダーへの固定作業について説明する。
【００２９】
まず、マウント部２１のフィーダー固定部２１ａがバンド４１により同軸管フィーダーの外導体１１に固定されることで、マウント部２１が同軸管フィーダーに固定される。次に方向性結合器２の挿入量が調整される。スペーサー５１がマウント部２１の内導体固定部２１ｂにねじ込まれた後、時計回り及び反時計まわりに回転されることでスペーサー５１は、内導体固定部２１ｂに沿って図２の上下方向に移動する。
【００３０】
スペーサー５１の上下移動により内導体３１は内導体固定部２１ｂに沿って上下方向に移動する。方向性結合器２の内導体３１の挿入量が所望の挿入量になった位置でスペーサー５１の回転操作が一旦止められる。
【００３１】
次に方向性結合器２の角度が調整される。内導体３１のフランジ部３１ｂがスペーサー５１の上端の支持部５１ｂに回転可能に支持されており、スペーサー５１が内導体固定部２１ｂに固定された状態で内導体３１を回転することにより、内導体固定部２１ｂへの挿入量を一定に保った状態で、内導体３１の同軸管フィーダーとの角度が調整される。
【００３２】
最後に、バンド４２で、内導体固定部２１ｂ共々、スペーサー５１及び内導体固定部２１ｂに形成されているスリットが締め付けられ、内導体固定部２１ｂ、スペーサー５１、及び、内導体３１が固定される。
【００３３】
以上説明したように、本実施形態によれば、方向性結合器２は、スペーサー５１の外周に雄ネジ部５１ｃを備え、内導体固定部２１ｂの内周に雌ネジ部２１ｃを備えている。このネジ構造により、スペーサー５１を回転させることで、内導体３１本体を鉛直方向に移動させ、内導体固定部２１ｂへの内導体３１の挿入量の微小な調整を行うことが容易に実現できる。また、このネジ構造により、バンド４２の締め付け及び締め付け解除時の内導体３１の挿入量の変動が防止できる。
【００３４】
また内導体３１が内導体３１の円柱形状の外周面から円柱形状の中心軸に垂直な方向に突出するフランジ部３１ｂを備え、スペーサー５１にスペーサー５１の円筒形状の内周面の中心軸に垂直な面でフランジ部３１ｂを支持する支持部５１ｂを備えている。この構造により、内導体３１がスペーサー５１の内部に脱落することを防ぐと共に、内導体３１の同軸管フィーダーとの角度調整時の回転操作においても、スペーサー５１内部への内導体３１の挿入量を一定とすることができる。このことからスペーサー５１の内導体固定部２１ｂへの挿入量を調整することが、内導体３１の内導体固定部２１ｂへの挿入量を調整することと同義とすることができる。また、内導体３１を破損等によって交換する際には、スペーサー５１によって挿入量がほぼ固定されていることから内導体３１の交換前との電気的特性の再現性が非常に高くできるという効果が得られる。
【００３５】
またこれらの構成により、内導体３１の挿入量および同軸管フィーダーとの角度調整の２つの調整過程を独立して行うことが可能となる。これにより、方向性結合器の調整時の操作精度を向上させることができ、調整作業に要する作業時間を短縮することができる。
【００３６】
次に本発明の方向性結合器の第３の実施形態について説明する。図６は、第３の実施形態の構成を示す側面図である。また図７は、第３の実施形態の構成を示す分解図である。本実施形態では、図７に示すように、内導体３２が上記のネジ構造の雄ネジ部を備え、スペーサー５１が上記のネジ構造の雌ネジ部を備え、スペーサー５２が上記のフランジ構造のフランジ部（第２のフランジ部）を備え、内導体固定部２２ｂが上記のフランジ構造の支持部（第２の支持部）を備えた例である。
【００３７】
本実施形態の方向性結合器３は、図７に示すように、同軸管フィーダーの外導体１１に固定されるマウント部２２、マウント部２２を同軸管フィーダーの外導体１１に固定するバンド４１、マウント部２２と嵌合するスペーサー５２、スペーサー５２に挿入される内導体３２、及び内導体３２と内導体固定部２２ｂ並びにスペーサー５２を固定するためのバンド４２を備える。
【００３８】
内導体３２は、図７に示すように、スペーサー５２の内面の雌ネジ部５２ａに係合する雄ネジ部３２ａが備えられている。第２の実施形態と同様、内導体３２は、内部に同軸管フィーダーを通過する無線信号から信号を取り出すための結合ループを備え、円柱形状の上部には、取り出した信号を検出するための同軸コネクタを備えている。
【００３９】
図８は、第３の実施形態の方向性結合器３のマウント部２２の側面図である。マウント部２２は、同軸管フィーダーの外導体１１に固定されるフィーダー固定部２２ａと、フィーダー固定部２２ａと接合され内導体３２ならびにスペーサー５２を固定するための内導体固定部２２ｂを備える。マウント部２２のフィーダー固定部２２ａは、第２の実施形態と同様、同軸管フィーダーの外導体１１の外周に沿って配置できるように形成された円筒形状の一部分であり、バンド４１により同軸管フィーダーの外導体１１に固定される。
【００４０】
マウント部２２の内導体固定部２２ｂは、円筒状に形成され、本実施形態の内導体固定部２２ｂの内周面２２ｃは、ネジ加工は施されておらず、円筒面となっている。本実施形態の内導体固定部２２ｂは、上端部にスペーサー５２のフランジ部５２ｃと接しスペーサー５２を支持する支持部２２ｄが備えられている。また第２の実施形態と同様、内導体固定部２２ｂの円筒状の部分には、長さ方向にスリット２２ｅが形成されている。スリット２２ｅは、１つでもよいが、円筒状の部分の対面する位置にも形成され、内導体固定部２２ｂの円筒状の部分に二つのスリット２２ｅが形成されていてもよい。
【００４１】
バンド４１は、第２の実施形態と同様、例えばステンレスにて形成されているステンレスバンドを用い、同軸管フィーダーの外導体１１に接しているフィーダー固定部２２ａを、同軸管フィーダーの外導体１１と共に締め付けて固定する。
【００４２】
図９は、第３の実施形態のスペーサーの構成を示す側面図である。スペーサー５２は、図９に示すように、円筒形状をしており、内導体３２の外周面の雄ネジ部３２ａと係合するように、円筒状の部分の内面に雌ネジ部５２ａを備えている。またスペーサー５２の外周面５２ｂは円筒面となっている。またスペーサー５２は上端部にスペーサー５２の円筒形状の外周面５２ｂの中心軸に垂直に張り出したフランジ部５２ｃを有している。スペーサー５２のフランジ部５２ｃが、内導体固定部２２ｂの上端部に備えられた支持部２２ｄに、スペーサー５２の円筒形状の中心軸に垂直な面で支持される。また第２の実施形態と同様、スペーサー５２の円筒部分には、図９に示すように円筒の長さ方向にスリット５２ｄが形成される。本実施形態においてもスリット５２ｄは、１つでもよいが、円筒の対面する位置にも形成され、スペーサー５２の円筒部分に二つのスリット５２ｄが形成されていてもよい。
【００４３】
次に本実施形態の方向性結合器３の挿入量及び角度の調整と同軸管フィーダーへの固定作業について説明する。
【００４４】
まず、第２の実施形態と同様、マウント部２２のフィーダー固定部２２ａがバンド４１により同軸管フィーダーの外導体１１に固定されることでマウント部２２が同軸管フィーダーに固定される。次に方向性結合器３の内導体３２の挿入量が調整される。本実施形態では内導体３２がスペーサー５２にねじ込まれた後、時計回り及び反時計まわりに回転されると方向性結合器２の内導体３２は、スペーサー５２内部を図６の上下方向に移動する。方向性結合器３の内導体３２の挿入量が所望の挿入量になった位置で内導体３２の回転操作が一旦止められる。
【００４５】
次に本実施形態ではスペーサー５２が回転されることで内導体３２が回転される。スペーサー５２の回転により、内導体３２も回転し、内導体固定部２２ｂへの挿入量が変化することなく内導体固定部２２ｂへの挿入量を一定に保った状態で、内導体３２の同軸管との角度が調整される。
【００４６】
最後に、バンド４２で内導体固定部２２ｂの外周が締め付けられると、内導体固定部２２ｂにスペーサー５２及び内導体３２が固定される。
【００４７】
以上説明したように、本実施形態によれば、方向性結合器３は、内導体３２の外周に雄ネジ部を備え、スペーサー５２の内周に雌ネジ部を備えている。このネジ構造により、内導体３２を回転させることで、内導体３２本体を鉛直方向に移動させ、内導体固定部２２ｂへの内導体３２の挿入量の微小な調整を行うことが容易に実現できる。また、バンド４２の締め付け解除時の内導体３２の挿入量の変動が防止できる。
【００４８】
またスペーサー５２がスペーサー５２の円筒形状の外周面から円筒形状の中心軸に垂直な方向に突出するフランジ部を備え、内導体固定部２２ｂにスペーサー５２の円筒形状の中心軸に垂直な面でフランジ部を支持する支持部を備えている。この構造により、スペーサー５２が内導体固定部２２ｂの内部に脱落することを防ぐと共に、内導体３２の同軸管フィーダーとの角度調整時の回転操作においても、内導体３２の挿入量を一定とすることができる。
【００４９】
また内導体３１の挿入量および同軸管フィーダーとの角度調整の２つの調整過程を独立して行うことが可能となる。これにより、方向性結合器の調整時の操作精度を向上させることができ、調整作業に要する作業時間を短縮することができる。
【００５０】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００５１】
１、２、３    方向性結合器
１０、１１    同軸管フィーダーの外導体
２１、２２    マウント部
２１ａ、２２ａ    フィーダー固定部
２０、２１ｂ、２２ｂ    内導体固定部
２１ｃ    雌ネジ部
２１ｄ、２２ｅ    スリット
２２ｃ    内周面
２２ｄ    支持部
３０、３１、３２    内導体
３１ａ    外周面
３１ｂ    フランジ部
３２ａ    雄ネジ部
４１、４２    バンド
５０、５１、５２    スペーサー
５１ａ    内周面
５１ｂ    支持部
５１ｃ    雄ネジ部
５１ｄ、５２ｄ    スリット
５２ａ    雌ネジ部
５２ｂ    外周面
５２ｃ    フランジ部
【図１】
2018137596.tif 000003
【図２】
2018137596.tif 000004
【図３】
2018137596.tif 000005
【図４】
2018137596.tif 000006
【図５】
2018137596.tif 000007
【図６】
2018137596.tif 000008
【図７】
2018137596.tif 000009
【図８】
2018137596.tif 000010
【図９】
2018137596.tif 000011